(57)【特許請求の範囲】
【請求項１】
所定温度で供給される温水を熱源とする熱交換器と、空気を吸引して該熱交換器を通過させると共に該熱交換器を通過した空気を浴室内に送風するファンと、該ファンにより吸引される空気の流入経路中に設けられた浴室温度センサと、前記熱交換器に温水が供給された状態で前記ファンを作動させることにより前記熱交換器を通過して加熱された空気を浴室内に送風し、前記浴室温度センサの検出温度が所定の目標温度と一致するように前記ファンの回転数を制御する暖房運転を実行する暖房制御手段とを備え、
前記暖房制御手段は、前記暖房運転の実行時に、前記ファンの回転数を前記浴室温度センサにより浴室内の温度を検出することができる風量を生じさせる下限回転数まで低下させても前記浴室温度センサの検出温度が前記目標温度を超えるときは、前記ファンを前記下限回転数よりも低く設定した低速回転数で所定時間作動させる浴室暖房装置において、
前記目標温度を設定する目標温度設定手段を備え、
前記暖房制御手段は、前記所定時間内に前記目標温度設定手段により前記目標温度を上げる変更がなされたときに、前記浴室温度センサの検出温度が前記目標温度以上となるまで、前記ファンを前記下限回転数以上の回転数で作動させることを特徴とする浴室暖房装置。
【請求項２】
所定温度で供給される温水を熱源とする熱交換器と、空気を吸引して該熱交換器を通過させると共に該熱交換器を通過した空気を浴室内に送風するファンと、該ファンにより吸引される空気の流入経路中に設けられた浴室温度センサと、前記熱交換器に温水が供給された状態で前記ファンを作動させることにより前記熱交換器を通過して加熱された空気を浴室内に送風し、前記浴室温度センサの検出温度が所定の目標温度と一致するように前記ファンの回転数を制御する暖房運転を実行する暖房制御手段とを備え、
前記暖房制御手段は、前記暖房運転の実行時に、前記ファンの回転数を前記浴室温度センサにより浴室内の温度を検出することができる風量を生じさせる下限回転数まで低下させても前記浴室温度センサの検出温度が前記目標温度を超えるときは、前記ファンを前記下限回転数よりも低く設定した低速回転数で所定時間作動させる浴室暖房装置において、
前記暖房運転における前記ファンの回転数の制御範囲を設定する回転数範囲設定手段を備え、
前記暖房制御手段は、前記所定時間内に前記回転数範囲設定手段により前記ファンの回転数の制御範囲を高回転方向に移行する変更がなされたときに、前記浴室温度センサの検出温度が前記目標温度以上となるまで、前記ファンを前記下限回転数以上の回転数で作動させることを特徴とする浴室暖房装置。
【請求項３】
所定温度で供給される温水を熱源とする熱交換器と、空気を吸引して該熱交換器を通過させると共に該熱交換器を通過した空気を浴室内に送風するファンと、該ファンにより吸引される空気の流入経路中に設けられた浴室温度センサと、前記熱交換器に温水が供給された状態で前記ファンを作動させることにより前記熱交換器を通過して加熱された空気を浴室内に送風し、前記浴室温度センサの検出温度が所定の目標温度と一致するように前記ファンの回転数を制御する暖房運転を実行する暖房制御手段とを備え、
前記暖房制御手段は、前記暖房運転の実行時に、前記ファンの回転数を前記浴室温度センサにより浴室内の温度を検出することができる風量を生じさせる下限回転数まで低下させても前記浴室温度センサの検出温度が前記目標温度を超えるときは、前記ファンを前記下限回転数よりも低く設定した低速回転数で所定時間作動させる浴室暖房装置において、
前記暖房制御手段は、前記所定時間内に前記浴室温度センサの検出温度が前記目標温度から所定温度幅以上低下したことを把握したときに、前記浴室温度センサの検出温度が前記目標温度以上となるまで、前記ファンを前記下限回転数以上の回転数で作動させることを特徴とする浴室暖房装置。
【発明の詳細な説明】
【０００１】
【発明の属する技術分野】
本発明は、温水を熱源として浴室を暖房する浴室暖房装置に関する。
【０００２】
【従来の技術】
従来より、熱源として所定温度の温水が供給される温水式の熱交換器を備え、該熱交換器により加熱された空気を温風として浴室内に送風して浴室の暖房を行う浴室暖房装置が知られている。かかる浴室暖房装置においては、暖房運転の開始後、浴室内の温度が温度設定スイッチ等により設定された目標温度に保たれるように、温調制御が行なわれていた。
【０００３】
そして、浴室内の温度を検出する浴室温度センサは、浴室内の空気を前記熱交換器を経由して循環させる循環ファンにより浴室内の空気が吸入される経路に設けられるのが一般的であるが、この場合には、該浴室温度センサにより浴室内の温度を検出するためにはある程度以上の回転数で送風ファンを回転させて浴室内の空気を十分に循環させ、浴室内の空気を浴室温度センサまで導入可能な風量を生じさせる必要がある。
【０００４】
そのため、浴室温度センサにより浴室内の温度を検出しながら暖房運転を行なう場合、暖房運転中は、送風ファンの回転数を、浴室内の空気が十分に循環されて、浴室内の空気を浴室温度センサまで導入するのに必要な風量を生じさせる下限回転数以上に保つことが要求される。
【０００５】
ところが、浴室暖房装置の暖房能力に対して浴室が狭い場合や、目標温度と外気温との差が小さいときには、送風ファンの回転数を前記下限回転数まで低下させても浴室内の温度が目標温度を超えてしまい、浴室内の温度を目標温度に保つことができない場合がある。そこで、かかる場合には、送風ファンを前記下限回転数よりも低い回転数で所定時間回転させることによって、浴室内の温度上昇を抑制することが考えられる。
【０００６】
しかし、本願発明者らは、このように、送風ファンを前記下限回転数よりも低い回転数で所定時間回転させた場合、該所定時間内は浴室温度センサにより浴室内の温度を精度良く検知することができないことから、種々の不都合が生じ得ることを知見した。
【０００７】
【発明が解決しようとする課題】
本発明は上記背景を鑑みてなされたものであり、暖房運転の実行時に、浴室内の温度の検出が可能な風量を生じさせる下限回転数よりも低い回転数で送風ファンを所定時間回転させて浴室内の温度上昇を抑制したとき生じ得る不都合の発生を防止した浴室暖房装置を提供することを目的とする。
【０００８】
【課題を解決するための手段】
本発明は上記目的を達成するためになされたものであり、所定温度で供給される温水を熱源とする熱交換器と、空気を吸引して該熱交換器を通過させると共に該熱交換器を通過した空気を浴室内に送風するファンと、該ファンにより吸引される空気の流入経路中に設けられた浴室温度センサと、前記熱交換器に温水が供給された状態で前記ファンを作動させることにより前記熱交換器を通過して加熱された空気を浴室内に送風し、前記浴室温度センサの検出温度が所定の目標温度と一致するように前記ファンの回転数を制御する暖房運転を実行する暖房制御手段とを備え、前記暖房制御手段は、前記暖房運転の実行時に、前記ファンの回転数を前記浴室温度センサにより浴室内の温度を検出することができる風量を生じさせる下限回転数まで低下させても前記浴室温度センサの検出温度が前記目標温度を超えるときは、前記ファンを前記下限回転数よりも低く設定した低速回転数で所定時間作動させる浴室暖房装置の改良に関する。
【０００９】
そして、本発明の第１の態様は、前記目標温度を設定する目標温度設定手段を備えた場合に生じる不都合を解消することを目的としている。すなわち、前記ファンが前記下限回転数よりも低く設定した前記低速回転数で回転している前記所定時間内に、前記目標温度設定手段により前記目標温度を上げる変更がなされたときに、前記所定時間が経過するまでの間、前記ファンの回転数を前記低速回転数に維持すると、前記目標温度を上げたにも拘わらず前記所定時間が経過するまでの間は浴室暖房装置から供給される熱量が増加しないため、浴室内の温度が上がり始めるまでに時間遅れを生じ、入浴者に違和感を与えてしまうという不都合がある。
【００１０】
そこで、本発明の第１の態様は、前記目標温度を設定する目標温度設定手段を備え、前記暖房制御手段は、前記所定時間内に前記目標温度設定手段により前記目標温度を上げる変更がなされたときに、前記浴室温度センサの検出温度が前記目標温度以上となるまで、前記ファンを前記下限回転数以上の回転数で作動させることを特徴とする。
【００１１】
かかる本発明によれば、前記所定時間内に前記目標温度設定手段により前記目標温度を上げる変更がなされると、前記暖房制御手段は、前記浴室温度センサの検出温度が前記目標温度以上となるまで、前記ファンを前記下限回転数以上の回転数で回転させる。そのため、前記目標温度を上げる変更に応じて、遅れ時間を生じることなく前記浴室暖房装置から浴室内に供給される熱量が増加し、浴室内の温度を速やかに変更後の目標温度まで上昇させることができる。
【００１２】
また、本発明の第２の態様は、前記ファンの回転数の制御範囲を設定する回転数範囲設定手段を備えた場合に生じる不都合を解消することを目的としている。すなわち、前記ファンが前記下限回転数よりも低く設定した前記低速回転数で回転している前記所定時間内に、前記回転数範囲設定手段により前記ファンの回転数の範囲を高回転域に移行する変更がなされると、前記所定時間が経過するまでの間は、前記ファンの回転数の制御範囲を高回転域に移行したにも拘わらず、前記所定時間が経過するまでの間は前記ファンの回転数が前記低速回転数に維持されるため、前記ファンの回転数が上昇し始めるまでに時間遅れが生じ、入浴者に違和感を与えてしまうという不都合がある。
【００１３】
そこで、本発明の第２の態様は、前記暖房運転における前記ファンの回転数の制御範囲を設定する回転数範囲設定手段を備え、前記暖房制御手段は、前記所定時間内に前記回転数範囲設定手段により前記ファンの回転数の制御範囲を高回転方向に移行する変更がなされたときに、前記浴室温度センサの検出温度が前記目標温度以上となるまで、前記ファンを前記下限回転数以上の回転数で作動させることを特徴とする。
【００１４】
かかる本発明によれば、前記所定時間内に前記回転数範囲設定手段により前記ファンの回転数の制御範囲を高回転方向に移行する変更がなされると、前記暖房制御手段は、前記浴室温度センサの検出温度が前記目標温度以上となるまで、前記ファンを前記下限回転数以上の回転数で回転させる。そのため、前記ファンの回転数の制御範囲を高回転方向に上げる変更に応じて、遅れ時間を生じることなく前記ファンの回転数を速やかに上昇させることができる。
【００１５】
また、本発明の第３の態様は、前記ファンが前記下限回転数よりも低く設定した前記低速回転数で回転している前記所定時間内に、浴室内の温度が急激に低下した場合に生じる不都合を解消することを目的としている。すなわち、前記所定時間内に、例えば、入浴者が換気のために浴室の窓を開けると、浴室内に外気が流入して浴室内の温度が急激に低下する。そして、この場合、前記所定時間が経過するまでは前記ファンの回転数が前記低速回転数に維持されるため、低下した浴室内の温度が上がり難く、浴室内の温度が低下した状態のままとなって入浴者が寒さを感じてしまうという不都合がある。
【００１６】
そこで、本発明の第３の態様は、前記暖房制御手段は、前記所定時間内に前記浴室温度センサの検出温度が前記目標温度から所定温度幅以上低下したことを把握したときに、前記浴室温度センサの検出温度が前記目標温度以上となるまで、前記ファンを前記下限回転数以上の回転数で作動させることを特徴とする。
【００１７】
かかる本発明によれば、前記所定時間内に前記浴室温度センサの検出温度が前記目標温度から前記所定温度幅以上低下すると、前記暖房制御手段は、前記浴室温度センサの検出温度が前記目標温度以上となるまで、前記ファンを前記下限回転数以上の回転数で作動させる。そのため、浴室内の温度が急激に低下したときに、前記ファンの回転数が上昇し、浴室内の温度を前記目標温度まで速やかに復帰させることができる。
【００１８】
【発明の実施の形態】
本発明の実施の形態の一例について、図１〜図５を参照して説明する。図１は本発明の浴室暖房装置の設置状態を示した図、図２は図１に示した浴室暖房装置の全体構成図、図３は暖房運転時における循環ファンの速数切換えと浴室内の温度の推移を示したグラフ、図４及び図５は暖房運転の実行フローチャートである。
【００１９】
図１を参照して、浴室暖房装置１は浴槽２が備えられた浴室３の天井部分に設置され、商用電源のコンセント４からブレーカ５を介して供給される電力により作動する。また、浴室暖房装置１は熱源機６と熱源機ケーブル７により通信可能に接続され、熱源機６から浴室暖房機１に給湯往き管８ａを介して所定温度の温水が供給され、該温水は給湯戻り管８ｂを介して熱源機６に戻る。
【００２０】
さらに、浴室暖房装置１には、浴室３を換気するための中間ダクト９が連通し、また、リモコンケーブル１０を介して運転モードの設定等を行うためのリモコン１１（本発明の目標温度設定手段及び回転数範囲設定手段の機能を含む）が接続されている。
【００２１】
次に、図２を参照して、浴室暖房装置１は、浴室暖房装置１の全体的な作動を制御するコントローラ２０（本発明の暖房制御手段の機能を含む）、給湯往き管８ａを介して供給される温水を熱源として空気を加熱する熱交換器２１、給湯往き管８ａを開閉する熱動弁２２、吸気口２３から吸入した空気を熱交換器２１で加熱して浴室内に温風として送出する循環ファン２４（本発明のファンに相当する）、循環ファン２４を作動させるファンモータ２５、送出される空気の向きを設定するためのルーパー２６、ルーパー２６を作動させるルーパーモータ２７、熱源機６から供給される温水の温度を検出する温水サーミスタ２８、吸気口２３から吸入される浴室内の空気の温度（＝浴室の温度）を検出する室温サーミスタ２９（本発明の浴室温度センサに相当する）、漏電ブレーカ３０、リモコン用コネクタ３１、熱源機用コネクタ３２、電源用コネクタ３３、及び中間ダクトファン用コネクタ３４を備える。
【００２２】
また、中間ダクト９の途中箇所には中間ダクトファン４０が設置され、コントローラ２０は、中間ダクトファン用コネクタ３４と中間ダクトファンケーブル４１を介して中間ダクトファン４０に制御信号を送信することにより、中間ダクトファン４０の作動／停止を制御する。
【００２３】
コントローラ２０は、リモコン１１に備えられた運転モード切替スイッチ（図示しない）の操作に応じて、以下の表１に示した「暖房」、「涼風」、「乾燥」、「換気」、及び「凍結防止」の各運転モードで浴室暖房装置１を作動させる。
【００２４】
【表１】
0003701595.tif 000002
【００２５】
また、リモコン１１には、循環ファン２４の風量の制御範囲（本発明の回転数の制御範囲に相当する）を「強」、「弱」、「微」の３段階で設定するための風量切替スイッチ（図示しない、本発明の回転数範囲設定手段に相当する）と、暖房モードにおける目標温度を「高」、「中」、「低」の３段階で設定するための温度切替スイッチ（図示しない、本発明の目標温度設定手段に相当する）が備えられている。
【００２６】
そして、コントローラ２０は、該風量切替スイッチと該温度切替スイッチの操作に応じて、以下の表２に示したように、暖房モードにおいて切換える循環ファン２４の回転数を１速〜６速の６段階で設定する。なお、速数の数字が大きくなるほど循環ファン２４の回転数が高く設定されている。
【００２７】
【表２】
0003701595.tif 000003
【００２８】
そして、上記表２に示したように、暖房モードにおいては、コントローラ２０は暖房０〜暖房３という４種類のサイクルで循環ファン２４の速数を切換え、各サイクル（暖房０〜暖房３）における風量が上記表２に基づいて設定される。
【００２９】
ここで、室温サーミスタ２９は、循環ファン２４により吸気口２３から吸入される浴室内の空気の流入経路中に設けられており、循環ファン２４の回転数が低いと、浴室内の空気の循環が不十分となって、実際の浴室内の温度と室温サーミスタ２９の検出温度との間で差が生じ、室温を精度良く検知することができなくなる。
【００３０】
そして、本実施の形態では、４速〜６速が、実際の浴室内の温度と室温サーミスタ２９の検出温度とがほぼ一致して、浴室内の温度を精度良く検知することができる風量が確保できる下限回転数よりも高い回転数に設定されている。そのため、コントローラ２０は、基本的には、循環ファン２４が４速以上で回転しているときに、室温サーミスタ２９により浴室内の温度を検知する。
【００３１】
暖房モードにおいて、コントローラ２０は、浴室内の温度を室温サーミスタ２９で検出し、浴室内の温度がリモコン１１で設定される「高」、「中」、「低」に対応して予め設定された目標温度に保たれるように、循環ファン２４の速数を切換える暖房運転を行う。以下、暖房運転におけるコントローラ２０の作動について説明する。
【００３２】
使用者がリモコン１１に備えられた運転モード切替スイッチ（図示しない）を「暖房」に設定して、運転スイッチ（図示しない）をＯＮ操作すると、コントローラ２０は、熱動弁２２を開弁すると共に、熱源機ケーブル７を介して作動開始を指示する制御信号を熱源機６に送信する。
【００３３】
これにより、熱源機６が作動し、給湯往き管８ａを介して熱源機６から熱交換器２１に所定温度（例えば８０℃）の温水の供給が開始される。そして、コントローラ２０は、浴室内に冷風が供給されることを防止するため、温水サーミスタ２８の検出温度が所定レベル以上（例えば４０℃以上）となるのを待って、循環ファン２４を作動させて浴室への温風の送出を開始する。
【００３４】
図３は、風量が「強」で温度が「高」に設定されて暖房運転が開始されたときの循環ファン２４の速数と室温の推移を示したグラフであり、横軸が時間（ｔ）、縦軸が上から循環ファン２４の速数（１速〜６速）、熱動弁２２のＯＮ／ＯＦＦ、浴室内の温度に設定されている。図３を参照して、暖房運転の指示がなされた時刻ｔ0で、コントローラ２０は、上述したように熱動弁２２を開弁して熱源機６を作動させる。
【００３５】
そして、温水サーミスタ２８の検出温度が所定レベル以上となった時刻ｔ1で、循環ファン２４の回転を開始し、室温サーミスタ２９の検出温度が目標温度（Ｔａに達するまで、循環ファン２４を６速で回転させる「暖房２サイクル」を実行する。
【００３６】
次に、コントローラ２０は、室温サーミスタ２９の検出温度が目標温度（Ｔａ）以上となった時刻ｔ2から、循環ファン２４を４速で時間Ｔ1の間だけ回転させる「暖房３サイクル」を実行し、「暖房３サイクル」が終了した時刻ｔ3で、室温サーミスタ２９の検出温度を目標温度（Ｔａ）と比較する。このように、循環ファン２４の回転数を段階的に下げて温風の送出風量が急速に減少することを抑制することによって、コントローラ２０は、隙間風や壁面からの冷輻射により入浴者が寒さを感じることを軽減している。
【００３７】
図３のグラフでは、時刻ｔ3で室温サーミスタ２９の検出温度が目標温度（Ｔａ）を超えている。これは、循環ファン２４の速数を４速に下げてもなお浴室暖房装置１から浴室内に供給される熱量が過剰であることを意味している。そこで、コントローラ２０は、時刻ｔ3から、循環ファン２４を３速で時間Ｔ2の間だけ回転させる「暖房０サイクル」を実行し、浴室内に供給される熱量を減少させて浴室内の温度上昇を抑制している。
【００３８】
ここで、上述したように、速数３以下では室温サーミスタ２９により浴室内の温度を精度良く検知することができない。そこで、コントローラ２０は、「暖房０サイクル」が終了した時刻ｔ4から、循環ファン２４を４速で時間Ｔ3の間だけ回転させる「暖房１サイクル」を実行し、「暖房１サイクル」が終了した時刻ｔ5で、室温サーミスタ２９の検出温度を目標温度（Ｔａ）と比較する。
【００３９】
図３のグラフでは、時刻ｔ5で室温サーミスタ２９の検出温度が目標温度（Ｔａ）−２℃よりも低くなっている。そこで、コントローラ２０は、時刻ｔ5から、再び「暖房２サイクル」を実行して浴室内に供給される熱量を増加させ、室温サーミスタ２９の検出温度が目標温度（Ｔａ）に達した時刻ｔ6で「暖房２サイクル」を終了し、時刻ｔ6から「暖房３サイクル」を実行する。
【００４０】
一方、時刻ｔ5で室温サーミスタ２９の検出温度が目標温度（Ｔａ）−２℃以上で目標温度（Ｔａ）以下の範囲内であったときは、浴室内に供給される熱量が適当であると判断できるので、コントローラ２０は、再度「暖房１サイクル」を実行して浴室内に供給される熱量を変更しない。
【００４１】
また、時刻ｔ5で室温サーミスタ２９の検出温度が目標温度（Ｔａ）を超えていたときには、コントローラ２０は、浴室内の温度を下げるために再度「暖房０サイクル」を実行する。このように、時刻ｔ5における室温サーミスタ２９の検出温度に応じて、循環ファン２４の速数を設定することにより、コントローラ２０は、浴室内の温度を目標温度（Ｔａ）付近に保っている。
【００４２】
次に、「暖房０サイクル」においては、循環ファン２４は３速で回転しており、次の「暖房１サイクル」に移行するまで、コントローラ２０は室温サーミスタ２９により浴室内の温度を精度良く検知することはできない。
【００４３】
しかし、「暖房０サイクル」の実行中に、使用者がリモコンを操作して風量や温度の設定を変更することが考えられる。そして、この場合に、「暖房０サイクル」が終了するまでの間、変更された設定に応じた処理を行わないとすると、変更結果が暖房運転に反映されるまでに時間遅れを生じ、使用者に違和感を与えてしまうという不都合がある。
【００４４】
また、「暖房０サイクル」の実行中に、使用者が浴室の窓を開けて換気を行うことが考えられる。この場合、外気により浴室内の温度が急激に低下するが、「暖房０サイクル」を継続すると、浴室内の温度が下がったにも拘わらず、循環ファン２４の回転数が低速のままとなって浴室内の温度が低下した状態が回復せず、入浴者が寒さを感じてしまうという不都合がある。
【００４５】
そこで、これらの不都合を解消するため、コントローラ２０は、図４〜図５のフローチャートに示した処理を行って「暖房０サイクル」を実行する。図４を参照して、コントローラ２０は、ＳＴＥＰ１で循環ファン２４の回転数を３速とし、ＳＴＥＰ２で設定時間をＴ2とするタイマ（以下、Ｔ2タイマという）をスタートさせて、「暖房０サイクル」の実行を開始する。
【００４６】
そして、コントローラ２０は、ＳＴＥＰ３で使用者により温度を上げる設定がなされたか否かを確認し、ＳＴＥＰ４で使用者により風量を上げる設定がなされた否かを確認し、ＳＴＥＰ５で室温サーミスタ２９の検出温度が目標温度（Ｔａ）−３℃よりも低くなったか否かを確認しながら、ＳＴＥＰ６でＴ2タイマがタイムアップするのを待つ。
【００４７】
ＳＴＥＰ６でＴ2タイマがタイムアップすると、コントローラ２０は、「暖房０サイクル」を終了し、ＳＴＥＰ７に進んで「暖房１サイクル」を実行する。一方、ＳＴＥＰ３で使用者により温度を上げる変更がなされたとき、ＳＴＥＰ４で使用者により風量を上げる変更がなされたとき、及びＳＴＥＰ５で室温サーミスタ２９の検出温度が目標温度（Ｔａ）−３℃（本発明の所定温度幅に相当する）よりも低くなったときは、図５のＳＴＥＰ１０に分岐する。
【００４８】
そして、コントローラ１０は、ＳＴＥＰ１０で循環ファン２４の回転数を６速に上げ、浴室内の空気が循環して室温サーミスタ２９の検出温度が実際の浴室内の温度とほぼ一致するようになるのを待つため、次のＳＴＥＰ１１で２分タイマをスタートさせる。そして、ＳＴＥＰ１２で、２分タイマがタイムアップしたときに、ＳＴＥＰ１３に進み、コントローラ２０は、室温サーミスタ２９の検出温度が目標温度（Ｔａ）を超えているか否かを確認する。
【００４９】
ＳＴＥＰ１３で室温サーミスタ２９の検出温度が目標温度（Ｔａ）を超えていたときは、目標温度（Ｔａ）に対して現状の浴室内への熱の供給量が過大であると判断できるので、コントローラ２０は、図４のＳＴＥＰ１に戻って「暖房０サイクル」を再び実行する。
【００５０】
また、ＳＴＥＰ１３で室温サーミスタ２９の検出温度が目標温度（Ｔａ）以下であったときは、ＳＴＥＰ２０に分岐し、コントローラ２０は、室温サーミスタ２９の検出温度が目標温度（Ｔａ）−２℃以上であるか否かを確認する。そして、室温サーミスタ２９の検出温度が目標温度（Ｔａ）−２℃以上であったときは、浴室暖房装置１から浴室内への熱の供給が適当であると判断できるので、ＳＴＥＰ２１に進み、コントローラ２０は、循環ファン２４の回転数を１段階上げた「暖房１サイクル」を実行する。
【００５１】
一方、ＳＴＥＰ２０で、室温サーミスタ２９の検出温度が目標温度（Ｔａ）−２℃よりも低かったときには、浴室暖房装置１から浴室内への熱量の供給が不足していると判断できるので、ＳＴＥＰ３０に分岐し、コントローラ２０は、循環ファン２４の回転数を３段階上げた「暖房２サイクル」を実行する。これにより、「暖房０サイクル」において、使用者により温度を上げる変更又は風量を上げる変更がなされたとき、及び浴室内の温度が急に低下したときに、浴室内の温度を目標温度（Ｔａ）まで速やかに上昇させることができる。
【００５２】
なお、本実施の形態では、図４〜図５に示したように、循環ファン２４を前記下限回転数よりも低い回転数で回転させる「暖房０サイクル」を実行中に、使用者により温度を上げる変更がなされたとき（ＳＴＥＰ３）、使用者により風量を上げる変更がなされたとき（ＳＴＥＰ４）、及び、室温サーミスタ２９の検出温度が目標温度（Ｔａ）−３℃よりも低くなったとき（ＳＴＥＰ５）、という３つの条件の成否を確認して、図５に示した処理を行うようにしたが、これらの３つの条件のうちの少なくとも１つの条件の成否を確認する場合であれば本発明の利益を得ることができる。
【００５３】
また、本実施の形態では、浴室の天井面に設置した浴室暖房装置を示したが、浴室の壁面に設置する壁掛け設置型の浴室暖房装置に対しても本発明の適用が可能である。
【００５４】
また、本実施の形態では、暖房運転において循環ファン２４の速数を「暖房０サイクル」〜「暖房３サイクル」の４段階で切換えたが、さらに多くの段階に切換えるようにしてもよい。
【図面の簡単な説明】
【図１】浴室暖房装置の設置状態を示した図。
【図２】図１に示した浴室暖房装置の全体構成図。
【図３】暖房運転時における循環ファンの速数の切換えと浴室の温度の推移を示したグラフ。
【図４】「暖房０サイクル」の実行フローチャート。
【図５】「暖房０サイクル」の実行フローチャート。
【符号の説明】
１…浴室暖房装置、３…浴室、６…熱源機、９…中間ダクト、１１…リモコン、２０…コントローラ、２１…熱交換器、２２…熱動弁、２４…循環ファン、２８…温水サーミスタ、２９…室温サーミスタ
【図１】
0003701595.tif 000004
【図２】
0003701595.tif 000005
【図３】
0003701595.tif 000006
【図４】
0003701595.tif 000007
【図５】
0003701595.tif 000008